(57)【特許請求の範囲】
【請求項１】
軸芯まわりに回動自在な状態でシャワホースの上端に外嵌される筒状の金具の上端部に雌ねじを設け、この雌ねじがシャワヘッドの下端部に設けた雄ねじに螺合するように構成されたシャワ器具を、シャワフックによって着脱自在に保持するようにしてあり、
前記シャワフックは、前記金具を挟持する一対の側壁部と、前記一対の側壁部の後端側に連設されたフック本体とを備え、
前記金具を前記一対の側壁部間にその上方から進入させることによってシャワ器具をシャワフックに保持させることができるようにしてあるシャワ器具保持構造であって、
前記金具に複数の環状溝部を設けてあり、シャワ器具がシャワフックに保持された状態において、シャワヘッドから吐水されると、複数の環状溝部のいずれか一つのみがシャワフックの前記一対の側壁部の内面上端部若しくは前記フック本体の前面上端部又は前記一対の側壁部の内面下端部若しくは前記フック本体の前面下端部に係止するか、あるいは、複数の環状溝部のうちの一つのみがシャワフックの前記一対の側壁部の内面上端部若しくは前記フック本体の前面上端部に係止すると共に複数の環状溝部のうちの他の一つのみがシャワフックの前記一対の側壁部の内面下端部若しくは前記フック本体の前面下端部に係止するように構成してあることを特徴とするシャワ器具保持構造。
【請求項２】
前記複数の環状溝部は前記金具の上部および下部にそれぞれ設けられた環状溝部であり、シャワ器具がシャワフックに保持された状態において、シャワヘッドから吐水されると、金具の上部に設けられた環状溝部はシャワフックの前記一対の側壁部の内面上端部若しくは前記フック本体の前面上端部に係止し、金具の下部に設けられた環状溝部はシャワフックの前記一対の側壁部の内面下端部若しくは前記フック本体の前面下端部に係止するように構成してある請求項１に記載のシャワ器具保持構造。
【請求項３】
前記金具が、下部の環状溝部の下側にストレート部分を備えている請求項２に記載のシャワ器具保持構造。
【発明の詳細な説明】
【技術分野】
【０００１】
この発明は、例えば浴室やシャワルーム等の壁に配置され、シャワフックにより着脱自在に保持されるシャワ器具を備えたシャワ器具保持構造に関する。
【背景技術】
【０００２】
例えば浴室やシャワルーム等に設置されるシャワ器具として、図３に示すように、軸芯まわりに回動自在な状態でシャワホース３１の上端に外嵌される筒状の金具３２の上端部に雌ねじ（図示していない）を設け、この雌ねじがシャワヘッド３３の下端部に設けた雄ねじ（図示していない）に螺合するように構成されたものがある。
【０００３】
上記シャワ器具は、シャワフック３４により着脱自在に保持される。詳しくは、シャワフック３４は、シャワヘッド３３を挟持する一対の側壁部３５と、前記一対の側壁部３５の後端側に連設されたフック本体３６とを備えている。そして、シャワフック３４の一対の側壁部３５に対して金具３２をその上方から降ろすことにより、シャワ器具を一対の側壁部３５に保持させることができ、この状態の金具３２を上方に持ち上げれば、シャワ器具を側壁部３５から取り外すことができるように構成されている。
【発明の開示】
【発明が解決しようとする課題】
【０００４】
しかし、上記従来のシャワ器具では、シャワフック３４に保持させた状態でシャワヘッド３３から吐水を行ったときに、その吐水の反動により、シャワ器具が図３に示すように持ち上がり、シャワフック３４から外れてしまうおそれがあった。
【０００５】
この発明は上述の事柄に留意してなされたもので、その目的は、安定性よくシャワフックに保持させることができるシャワ器具保持構造を提供することである。
【課題を解決するための手段】
【０００６】
上記目的を達成するために、この発明のシャワ器具保持構造は、軸芯まわりに回動自在な状態でシャワホースの上端に外嵌される筒状の金具の上端部に雌ねじを設け、この雌ねじがシャワヘッドの下端部に設けた雄ねじに螺合するように構成されたシャワ器具を、シャワフックによって着脱自在に保持するようにしてあり、
前記シャワフックは、前記金具を挟持する一対の側壁部と、前記一対の側壁部の後端側に連設されたフック本体とを備え、
前記金具を前記一対の側壁部間にその上方から進入させることによってシャワ器具をシャワフックに保持させることができるようにしてあるシャワ器具保持構造であって、
前記金具に複数の環状溝部を設けてあり、シャワ器具がシャワフックに保持された状態において、シャワヘッドから吐水されると、複数の環状溝部のいずれか一つのみがシャワフックの前記一対の側壁部の内面上端部若しくは前記フック本体の前面上端部又は前記一対の側壁部の内面下端部若しくは前記フック本体の前面下端部に係止するか、あるいは、複数の環状溝部のうちの一つのみがシャワフックの前記一対の側壁部の内面上端部若しくは前記フック本体の前面上端部に係止すると共に複数の環状溝部のうちの他の一つのみがシャワフックの前記一対の側壁部の内面下端部若しくは前記フック本体の前面下端部に係止するように構成してあることを特徴としている（請求項１）。
ここで、前記複数の環状溝部は前記金具の上部および下部にそれぞれ設けられた環状溝部であり、シャワ器具がシャワフックに保持された状態において、シャワヘッドから吐水されると、金具の上部に設けられた環状溝部はシャワフックの前記一対の側壁部の内面上端部若しくは前記フック本体の前面上端部に係止し、金具の下部に設けられた環状溝部はシャワフックの前記一対の側壁部の内面下端部若しくは前記フック本体の前面下端部に係止するように構成してあってもよい（請求項２）。
【０００７】
前記金具が、下部の環状溝部の下側にストレート部分を備えていることが好ましい（請求項３）。
【発明の効果】
【０００８】
請求項１に係るシャワ器具保持構造では、金具に設けた複数の環状溝部がシャワフックの一対の側壁部の内面上端部若しくはフック本体の前面上端部または一対の側壁部の内面下端部若しくはフック本体の前面下端部に係止し、請求項２に係るシャワ器具保持構造では、金具の上部および下部に設けた環状溝部がシャワフックの一対の側壁部の内面上端部若しくはフック本体の前面上端部および一対の側壁部の内面下端部若しくはフック本体の前面下端部に係止するようにしてあり、シャワフックに保持させた状態のシャワ器具のシャワヘッドから吐水したときに、この吐水の反動によりシャワ器具が持ち上がることを前記環状溝部での係止により確実に防止することができるので、シャワ器具がシャワフックによって安定性よく保持されることになる。
【０００９】
また、上記シャワ器具は、シャワフックにより保持されたときに、金具の上部および下部に設けられたいずれか一つの環状溝部がシャワフックに係止していれば、吐水の反動によりシャワフックから抜けることが防止される。従って、市販されているシャワフックの形状は複数種類あるが、この発明のシャワ器具は、上記のように複数の環状溝部を有しているので、それだけ前記環状溝部を係止させることができるシャワフックの種類が多く、汎用性の高いものとなっている。
【００１０】
請求項３に係るシャワ器具保持構造では、シャワ器具をシャワフックに保持させたときに、下部の環状溝部の下側に形成されたストレート部分がシャワフックの下端部などに当接するように構成しておけば、前記ストレート部分が、シャワ器具のその吐水の反動によるシャワフックからの浮き上がりや抜けを補助的に防止するという役割を果たすので、シャワ器具をシャワフックに安定性よく保持させるという効果をより高めることができる。
【発明を実施するための最良の形態】
【００１１】
図１は、この発明の一実施例に係るシャワ器具保持構造の構成を概略的に示す側面図、図２（Ａ）は、シャワフックから外した状態のシャワ器具の要部の構成を概略的に示す縦断面図、図２（Ｂ）は、シャワフックに保持された状態の前記シャワ器具の要部の構成を概略的に示す説明図である。まず、図１において、１はシャワ器具で、軸芯まわりに回動自在な状態でシャワホース２の上端に外嵌される筒状の金具３の上端部に雌ねじ４（図２（Ａ）参照）を設け、この雌ねじ４がシャワヘッド５の下端部に設けた雄ねじ（図示していない）に螺合するように構成されている。
【００１２】
一方、図１および図２（Ａ）において、６は前記シャワ器具１を保持するシャワフックで、浴室やシャワルームなどの壁面７に取り付けられる。そして、このシャワフック６は、シャワ器具１の金具３を挟持する一対の側壁部８と、前記一対の側壁部８の後端側に連設されたフック本体９とを備えている。また、前記一対の側壁部８の前端部間には、シャワホース２を前後方向に通過させることができる隙間が設けられている。
【００１３】
ここまでの構成は、従来のシャワ器具と何ら変わるところがない。そして、この実施の形態のシャワ器具１は、前記金具３の構造に特徴がある。
【００１４】
すなわち、図２（Ａ）に示すように、前記金具３の上部および下部にそれぞれ環状溝部１１，１２を設けてあり、これら二つの環状溝部１１，１２間に下側ほど小径となるテーパ部分１３が、また、上部の環状溝部１１の上側に大径のストレート部分１４が、さらに、下部の環状溝部１２の下側にストレート部分１５がそれぞれ形成されている。
【００１５】
上記の構成からなるシャワ器具１をシャワフック６に保持させるには、シャワホース２を一対の側壁部８の前端部間の隙間にその外側（前側）から内側（後側）に向けて通した後、金具３を一対の側壁部８間にその上方から進入させるだけでよい。
【００１６】
そして、シャワフック６にシャワ器具１を保持させた状態でシャワヘッド５から吐水すると、その吐水の反動により、シャワヘッド５には斜め後ろに持ち上げようとする力がかかる。しかし、このとき、図２（Ｂ）に示すように、上部の環状溝部１１がシャワフック６の上端部（すなわち、一対の側壁部８の上端部あるいはフック本体９の上端部）に係止し、かつ下部の環状溝部１２がシャワフック６の下端部（すなわち、一対の側壁部８の下端部あるいはフック本体９の下端部）に係止するので、シャワ器具１がシャワフック４から浮き上がったり抜けたりすることが確実に防止される。また、このとき、下部の環状溝部１１の下側に形成されたストレート部分１５は、シャワフック６の下端部に当接し、シャワ器具１のシャワフック４からの浮き上がりや抜けを補助的に防止する。
【００１７】
上記のようにシャワフック６に保持させたシャワ器具１をシャワフック６から取り外すには、金具３を上方に持ち上げた後、シャワホース３を一対の側壁部８の前記隙間にその内側（後側）から外側（前側）に向けて通すだけでよい。
【００１８】
この発明は、上記の実施の形態に限られず、種々に変形して実施することができる。例えば、上記実施の形態では、二つの環状溝部１１，１２がそれぞれシャワフック６の上端部および下端部に係止しているが、二つの環状溝部１１，１２のいずれか一方のみがシャワフック６の上端部あるいは下端部に係止していてもよい。
【００１９】
また、金具３の上部に、前記環状溝部１１以外の別の環状溝部を一つあるいは複数設け、シャワフック６の上端部がこれら複数の環状溝部のいずれかに係止するように構成してあってもよく、同様に、金具３の下部に、前記環状溝部１２以外の別の環状溝部を一つあるいは複数設け、シャワフック６の下端部がこれら複数の環状溝部のいずれかに係止するように構成してあってもよい。
【図面の簡単な説明】
【００２０】
【図１】この発明の一実施例に係るシャワ器具保持構造の構成を概略的に示す側面図である。
【図２】（Ａ）は、シャワフックから外した状態のシャワ器具の要部の構成を概略的に示す縦断面図、（Ｂ）は、シャワフックに保持された状態の前記シャワ器具の要部の構成を概略的に示す説明図である。
【図３】従来のシャワ器具の構成を概略的に示す側面図である。
【符号の説明】
【００２１】
１  シャワ器具
２  シャワホース
３  金具
４  雌ねじ
５  シャワヘッド
１１  環状溝部
１２  環状溝部
１５  ストレート部分
【図１】
0004672268.tif 000002
【図２】
0004672268.tif 000003
【図３】
0004672268.tif 000004